(57)【要約】【課題】光情報記録再生装置の参照光の光路が製造時の位置からずれた場合でも、そのズレを検出し、適正に補正することが出来、良好な記録再生特性を有する光情報記録再生装置を提供する。【解決手段】第２ガルバノミラーＧＭ２を、第１の角度から第２の角度へと回転変位させ、更に、アクティブ１／２波長板ＡＨＷＰを駆動して、情報光を遮断するようにする。かかる状態で、半導体レーザＬＤを発光させると、平行光束である参照光が記録・再生位置を通過して第２ガルバノミラーＧＭ２に向かうが、第２ガルバノミラーＧＭ２の薄いミラー面ＭＰは参照光に対して平行となるように角度付けされているので、参照光はミラー面ＭＰに殆ど遮られることなく、その背面側の検出器ＰＤに入射してスポットを形成することとなる。この状態で、検出器ＰＤから出力される信号を解析することで、ズレ検出が可能となる。【選択図】  図１
2010108566.tif 000002
【特許請求の範囲】
【請求項１】
光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、異なる方向から照射した前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
少なくとも前記参照光のズレを検出する検出器を有し、
前記参照光の光路の延長線上において、記録・再生位置にある記録媒体を挟んで再生時に前記光源より前記参照光が入射する側と反対側に、平面ミラーが配置されており、
前記平面ミラーは、前記記録媒体の再生時には、前記記録媒体に対向する第１の角度に回転変位し、前記参照光のズレ検出時には、前記第１の角度とは異なる第２の角度に回転変位するようになっていることを特徴とする光情報記録再生装置。
【請求項２】
前記平面ミラーは、前記記録媒体の記録時には、前記第２の角度に回転変位するようになっていることを特徴とする請求項１に記載の光情報記録再生装置。
【請求項３】
前記検出器は、前記参照光の光路の延長線上において、前記平面ミラーを挟んで再生時に前記光源より前記参照光が入射する側と反対側に設けられていることを特徴とする請求項１又は２に記載の光情報記録再生装置。
【請求項４】
前記検出器は、前記第２の角度に回転変位した前記平面ミラーが前記参照光を反射した時に、その反射光を受光する位置に配置されていることを特徴とする請求項１又は２に記載の光情報記録再生装置。
【請求項５】
前記検出器の受光面に前記参照光を集光させるレンズを有することを特徴とする請求項１〜４のいずれかに記載の光情報記録再生装置。
【請求項６】
前記検出器からの出力に基づいて、前記参照光のズレを補正する補正機構を有し、前記補正機構は、前記光源と記録媒体との間の光路内に配置された少なくとも２枚のミラーと、前記２枚のミラーの角度を変更する可動機構とを含むことを特徴とする請求項１〜５のいずれかに記載の光情報記録再生装置。
【発明の詳細な説明】
【技術分野】
【０００１】
本発明は、光情報記録再生装置に関し、特にホログラフィを利用して情報が記録される記録媒体に対して情報を記録し、情報が記録されている記録媒体からの情報の再生を行う光情報記録再生装置に関する。
【背景技術】
【０００２】
近年、高密度の光情報記録再生装置として、特許文献１のようなホログラフィの原理を用いたものが提案されている。このような光情報記録再生装置において、記録時には、一つの光源から発生した光を、空間光変調器(SLM:Spatial Light Modulator)により変調された情報を持つ情報光と、参照光とに分岐し、分岐された2つの光を異なる方向から記録媒体に照射し、干渉縞として情報を記録することができる。一方、再生時には、情報を記録した記録媒体に、記録時と同じ参照光を照射して干渉縞を読み取り、それにより記録した情報を再生することができる。
【特許文献１】特開２００８−１２３６２７号公報
【発明の開示】
【発明が解決しようとする課題】
【０００３】
上述のようにホログラフィの原理を用いた光情報記録再生装置は、情報光と参照光とで作る干渉縞を記録しているために、記録再生時における情報光と参照光の関係が非常に重要となる。より具体的には、例えば情報を再生する際に、情報を記録したときに使用した参照光と状態の異なる参照光を照射した場合、情報が正しく再生されない恐れがある。ここで参照光の「異なる状態」とは、例えば、光源の波長の相違、記録媒体への照射角度の相違、参照光の振幅／位相分布のバラツキなどが考えられる。
【０００４】
ところで、光源の波長や、参照光の振幅／位相分布などは、半導体レーザ個々の特性により定まり、ある程度安定しているといえる。これに対し、記録媒体への照射角度は、例えば光情報記録再生装置の搬送時、使用時などにおける振動や環境の温度変化などの影響、経時変化等により、初期設定値から比較的変動し易い傾向がある。一方、半導体レーザの出力強度を可能な限り情報光の強度に利用するために、情報光の光束径をSLMの大きさと略同じとするか、若しくは余裕を持たせるにしても僅かに大きくする程度に留めることもあるが、かかる場合、何らかの理由により情報光の光路の光軸が、製造時の位置に対してその余裕分以上、平行移動してしまうと、情報光がSLMによりケラレてしまい有効に使用できないという問題もある。
【０００５】
本発明は、上述の問題を考慮してなされたものであり、光情報記録再生装置の参照光の光路が製造時の位置からずれた場合でも、そのズレを検出し、適正に補正することが出来、良好な記録再生特性を有する光情報記録再生装置を提供することを目的とする。
【課題を解決するための手段】
【０００６】
上記課題を解決する為、請求項１に記載の光情報記録再生装置は、光源と、前記光源からの光束を分岐する分岐手段と、分岐された光束のうちの一方を参照光として記録媒体に導く光学系と、分岐された光束のうちの他方を入射して、情報光を生成する空間光変調素子と、前記情報光を前記記録媒体に集光する対物レンズと、前記記録媒体からの光束を受光する画像受光素子とを備え、異なる方向から照射した前記参照光と前記情報光とを干渉させて前記記録媒体に情報を記録し、前記参照光を前記記録媒体に照射し、該記録媒体から出射する光束を前記画像受光素子に導き情報の再生を行う、２光束干渉方式を用いた光情報記録再生装置において、
少なくとも前記参照光のズレを検出する検出器を有し、
前記参照光の光路の延長線上において、記録・再生位置にある記録媒体を挟んで再生時に前記光源より前記参照光が入射する側と反対側に、平面ミラーが配置されており、
前記平面ミラーは、前記記録媒体の再生時には、前記記録媒体に対向する第１の角度に回転変位し、前記参照光のズレ検出時には、前記第１の角度とは異なる第２の角度に回転変位するようになっていることを特徴とする。
【０００７】
本発明によれば、例えば光情報記録再生装置の搬送時、使用時などにおける振動や環境の温度変化などの影響、経時変化等により、初期設定に対して記録媒体に入射する参照光にズレが生じた場合でも、かかるズレを前記検出器で検出することができる。この場合において、少なくとも前記参照光のズレを検出する検出器を有し、前記参照光の光路の延長線上において、記録・再生位置にある記録媒体を挟んで再生時に前記光源より前記参照光が入射する側と反対側に、平面ミラーが配置されており、前記平面ミラーは、前記記録媒体の再生時には、前記記録媒体に対向する第１の角度に回転変位し、前記参照光のズレ検出時には、前記第１の角度とは異なる第２の角度に回転変位するようになっているので、例えば情報の再生用の平面ミラーを回転させることにより、ズレ検出用の検出器に参照光を導くことが出来、よって従来の構成に検出器を備えるのみで前記参照光のズレを測定でき、且つ測定を容易に行うことができる。尚、「記録・再生位置」とは、記録媒体の記録層に参照光と情報光とが照射される位置をいう。又、「第１の角度」と「第２の２角度」との差は必ずしも一定ではなく、入射光に応じて例えば（９０±５）度の範囲で変化しうる。
【０００８】
請求項２に記載の光情報記録再生装置は、請求項１に記載の発明において、前記平面ミラーは、前記記録媒体の記録時には、前記第２の角度に回転変位するようになっていることを特徴とする。但し、前記記録媒体の記録時と、前記参照光のズレ検出時とは、必ずしも同じ角度に前記平面ミラーを回転変位させる必要はない。
【０００９】
請求項３に記載の光情報記録再生装置は、請求項１又は２に記載の発明において、前記検出器は、前記参照光の光路の延長線上において、前記平面ミラーを挟んで再生時に前記光源より前記参照光が入射する側と反対側に設けられていることを特徴とするので、前記平面ミラーを前記第２の角度に回転変位させるのみで、ズレ検出用の検出器に参照光を導くことが出来る。
【００１０】
請求項４に記載の光情報記録再生装置は、請求項１又は２に記載の発明において、前記検出器は、前記第２の角度に回転変位した前記平面ミラーが前記参照光を反射した時に、その反射光を受光する位置に配置されていることを特徴とするので、前記平面ミラーを前記第２の角度に回転変位させるのみで、ズレ検出用の検出器に参照光を導くことが出来る。
【００１１】
請求項５に記載の光情報記録再生装置は、請求項１〜４のいずれかに記載の発明において、前記検出器の受光面に前記参照光を集光させるレンズを有することを特徴とするので、安価な小型の検出器を用いた場合でも、より精度良くズレ検出を行うことができる。
【００１２】
請求項６に記載の光情報記録再生装置は、請求項１〜５のいずれかに記載の発明において、前記検出器からの出力に基づいて、前記参照光のズレを補正する補正機構を有し、前記補正機構は、前記光源と記録媒体との間の光路内に配置された少なくとも２枚のミラーと、前記２枚のミラーの角度を変更する可動機構とを含むことを特徴とする。
【００１３】
本発明によれば、前記検出器が検出したズレに基づいて、記録媒体に入射する参照光の入射位置を所定位置とするように前記補正機構により適正に補正を行うことができ、それにより良好な記録再生特性を有する光情報記録再生装置を提供することが出来る。
【発明の効果】
【００１４】
本発明によれば、光情報記録再生装置の参照光の光路が製造時の位置からずれた場合でも、そのズレを検出し、適正に補正することが出来、良好な記録再生特性を有する光情報記録再生装置を提供することができる。
【発明を実施するための最良の形態】
【００１５】
以下、本発明の実施の形態を、図面を参照して説明する。図１、２は、本実施の形態にかかる２光束干渉方式の光情報記録再生装置のブロック図であり、図１は記録時を示し、図２は再生時を示しており、太い実線はデバイス間の配線を示し、細い実線は出射光束の光路を示し、点線は光束が遮断されていることを示す。
【００１６】
図１、２に示す光情報記録再生装置は、光源としての半導体レーザＬＤと、この半導体レーザＬＤからの光束を透過および反射して２つの光束に分岐させる分岐手段としての第１偏光ビームスプリッタＰＢＳ１とを有する。半導体レーザＬＤと第１偏光ビームスプリッタＰＢＳ１との間の共通光路内には、半導体レーザＬＤからの光束は透過するが逆方向の光束の通過は阻止する光アイソレータＯＩと、第１レンズＬ１と、波面を整える空間フィルターとして機能する第１ピンホールＰ１と、第２レンズＬ２と、アクティブ１／２波長板ＡＨＷＰとが配置されている。半導体レーザＬＤとアクティブ１／２波長板ＡＨＷＰとは、オプトコントローラーＯＣＴにより駆動制御される。アクティブ１／２波長板ＡＨＷＰは、例えばオプトコントローラーＯＣＴの制御により回転可能となっていて、記録時と再生時とで、第１偏光ビームスプリッタＰＢＳ１に入射する光束の偏光方向を変えて、記録時には第１偏光ビームスプリッタＰＢＳ１を通過する光束と反射する光束とを発生させ、再生時には第１偏光ビームスプリッタＰＢＳ１を通過する光束のみ発生させ、反射する光束を発生させないように機能する。
【００１７】
第１偏光ビームスプリッタＰＢＳ１と、ホログラム用の記録媒体Ｍとの間における情報光の専用光路内には、第３レンズＬ３と、第４レンズＬ４と、第２偏光ビームスプリッタＰＢＳ２と、第５レンズＬ５と、波面を整える空間フィルターとして機能する第３ピンホールＰ３と、第６レンズＬ６と、対物レンズＯＢＪとが配置されている。一方、第１偏光ビームスプリッタＰＢＳ１と、ホログラム用の記録媒体Ｍとの間における参照光の専用光路内には、第１可動ミラーＭ１と、第２可動ミラーＭ２と、波面を整える空間フィルターとして機能する第２ピンホールＰ２と、第１ガルバノミラーＧＭ１と、第７レンズＬ７と、第８レンズＬ８とが配置されており、これらが参照光を導く光学系を構成する。又、参照光の専用光路の延長線上において、記録媒体Ｍを挟んで第８レンズＬ８と反対側には、平面ミラーとしての第２ガルバノミラーＧＭ２が配置されている。第１ガルバノミラーＧＭ１と第２ガルバノミラーＧＭ２とは、ガルバノミラーコントローラーＧＣＴにより駆動制御される。情報光と参照光とは記録媒体Ｍ上で交差するように入射する。記録媒体Ｍは、メディアコントローラーMCＴの制御下でメディア駆動機構ＭＤにより回転駆動される。更に、参照光の光路の延長線上において、第２ガルバノミラーＧＭ２を挟んで記録媒体Ｍと反対側（第２ガルバノミラーＧＭ２の背面側）に、検出器ＰＤが配置されている。尚、第２ガルバノミラーＧＭ２は、再生時には後述する第１の位置に回転変位し、記録時及び参照光のズレ検出時には、同様に後述する第２の位置に回転変位するよう駆動される。
【００１８】
ＣＰＵは、オプトコントローラーＯＣＴ、ガルバノミラーコントローラーＧＣＴ、メディアコントローラーMCＴを制御する。又、ＣＰＵは、記録時には、インターフェースＩＦを介してデータバッファＤＢのデータをエンコーダＥＮＣより変換し、第２偏光ビームスプリッタＰＢＳ２の一面に隣接する空間光変調素子としての空間光変調器ＳＬＭに入力し、再生時には、第２偏光ビームスプリッタＰＢＳ２の別面に隣接する画像受光素子としての２次元画像センサＣＣＤ（Charge Coupled DevicesやComplementary Metal-Oxide Semiconductorを用いることができる)を介して入力されたデータをデコーダＤＥＣにより変換し、データバッファＤＢに入力した後読み出して、外部のメモリーＭＲＹに記憶するようになっている。
【００１９】
次に、図１を参照して、記録時における光情報記録再生装置の動作について説明する。記録時には、第２ガルバノミラーＧＭ２は、後述する図４を参照して示すように、記録媒体Ｍに対向する位置から回転変位させられる。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、記録位置に回転させられているため、これを通過して所定の偏光状態にある光束は、分岐手段である第１偏光ビームスプリッタＰＢＳ１に入射した後、通過する光束（参照光）と反射する光束（情報光）とに分岐させられることとなる。
【００２０】
第１偏光ビームスプリッタＰＢＳ１で反射した光束は、第３レンズＬ３、第４レンズＬ４を通過し、第２偏光ビームスプリッタＰＢＳ２で反射して、空間光変調器ＳＬＭに入射する。入射した光束は、空間光変調器ＳＬＭの機能により所定の情報に対応した２次元変調を施されて反射し、偏光方向を変えるため、第２偏光ビームスプリッタＰＢＳ２を通過して、第５レンズＬ５、第３ピンホールＰ３，第６レンズＬ６を通過し、対物レンズＯＢＪを介して、記録媒体Ｍの記録層に集光されることとなる。
【００２１】
一方、第１偏光ビームスプリッタＰＢＳ１を通過した光束は、第１可動ミラーＭ１、第２可動ミラーＭ２でそれぞれ反射され、第２ピンホールＰ２を通過した後、第１ガルバノミラーＧＭ１で反射されて、第７レンズＬ７、第８レンズＬ８を通過し、情報光に対して異なる方向から所定の相対入射角で記録媒体Ｍの記録層に照射されることとなる。このとき情報光と参照光とが、同じ位置に照射されることで干渉縞が生じ、情報の記録をおこなうことができる。ガルバノミラーコントローラーＧＣＴにより第１ガルバノミラーＧＭ１の角度を調整することで、情報光と参照光との相対角度が変化するので、それにより多重に情報を記録することができる。
【００２２】
次に、図２を参照して、再生時における光情報記録再生装置の動作について説明する。再生時には、第２ガルバノミラーＧＭ２は、後述する図４に示すように、記録媒体Ｍに対向する位置に回転変位させられる。半導体レーザＬＤから出射された光束は、光アイソレータＯＩを通過し、第１レンズＬ１により集光されて、第１ピンホールＰ１を通過し、第２レンズＬ２を通過して平行光束となり、アクティブ１／２波長板ＡＨＷＰに入射する。アクティブ１／２波長板ＡＨＷＰは、再生位置に回転させられているため、これを通過して所定の偏光状態にある光束は、分岐手段である第１偏光ビームスプリッタＰＢＳ１に入射した後、通過する光束（参照光）のみとなる。
【００２３】
第１偏光ビームスプリッタＰＢＳ１を通過した光束は、第１可動ミラーＭＭ１、第２可動ミラーＭＭ２でそれぞれ反射され、第２ピンホールＰ２を通過した後、第１ガルバノミラーＧＭ１で反射されて、第７レンズＬ７、第８レンズＬ８を通過し、記録媒体Ｍの記録層に照射され、情報の記録された位置を通過することとなる。
【００２４】
記録媒体Ｍを透過した光束は、第２ガルバノミラーＧＭ２で反射され、記録媒体Ｍに再入射する。この反射光の記録媒体Ｍへの再入射角は、第１ガルバノミラーＧＭ１、第２ガルバノミラーＧＭ２で制御されている。
【００２５】
記録媒体Ｍへ再入射した光束は、記録媒体Ｍの記録層に記録されている干渉縞により応じたパターンの光束となり、このパターン光は、更に対物レンズＯＢＪ、第６レンズＬ６，第３ピンホールＰ３，第５レンズＬ５を通過し、偏光ビームスプリッタＰＢＳ２で反射されて、２次元画像センサＣＣＤの受光面に入射する。
【００２６】
こうして、２次元画像センサＣＣＤの受光面に入射したパターン光は、その画像−信号変換機能により電気信号に変換され、それにより記録媒体Ｍに記録されている情報に対応した２次元パターン情報が再生されることとなる。
【００２７】
図３は、第２ガルバノミラーＧＭ２の斜視図である。図４は、再生時における第２ガルバノミラーＧＭ２の周辺を示す拡大図である。図５は、ズレ検出時における第２ガルバノミラーＧＭ２の周辺を示す拡大図である。
【００２８】
図３において、第２ガルバノミラーＧＭ２は不図示の駆動機構により回転する円筒部ＣＹと、円筒部ＣＹの先端から軸線に沿って突出する平板状のミラー面ＭＰとを有している。不図示の駆動機構により円筒部ＣＹが回転させられることにより、ミラー面ＭＰは、円筒部ＣＹの回転軸線回りに、図４に示すように参照光に対して直交する位置（対物レンズＯＢＪの軸線に平行である第１の角度）と、図５に示すように参照光に対して平行となる位置（対物レンズＯＢＪの軸線に直交する、第１の角度と異なる第２の角度）との間で回転変位可能となっている。
【００２９】
図６は、検出器ＰＤの受光面を示す概略図である。図６に示すように、検出器ＰＤの受光面には、Ａ〜Ｄの４カ所の受光部が、受光面の中心から等距離で且つ隣接するもの同士が等間隔で設けられたセンサパターンが形成されている。
【００３０】
図７は、第１可動ミラーMM1の斜視図である。尚、第２可動ミラーMM2も同様な構成を有する。図７において、第１可動ミラーMM1は、不図示のフレームに固定された板状のベースＢＳと、ベースＢＳに対して離間した状態で並行して配置された板状のステージＳＴと、ステージＳＴ上に載置されたプリズムミラーＰＭと、ベースＢＳとステージＳＴとを連結する３つの圧電素子ＰＺとを有する。プリズムミラーＰＭの斜面が光を反射するミラー面（ミラー）となっている。３つの圧電素子ＰＺは、ベースＢＳ及びステージＳＴに対して仮想的な三角形の頂点に位置するように配置され、不図示の駆動装置から電力を供給されることにより個々に伸縮自在となっている。ここで、３つの圧電素子ＰＺの伸び量又は縮み量を所与の値に設定することで、図７でＸＹ平面に沿ったベースＢＳに対して、ステージＳＴをＸ方向とＹ方向とに任意に傾けて角度付けすることができ、これによりプリズムミラーＰＭのミラー面の傾きを３次元的に調整できる。ベースＢＳ、ステージＳＴ、圧電素子ＰＺにより可動機構を構成する。
【００３１】
次に、第１の実施の形態にかかる光情報記録再生装置における、光束のズレ検出及び調整について説明する。ここで、参照光のズレ検出及び調整時には、必ずしも記録媒体Ｍを記録・再生位置より退避させる必要はないが、退避させても良い。まず、第２ガルバノミラーＧＭ２を、図４に示す第１の角度から、図５に示す第２の角度へと回転変位させ、更に、アクティブ１／２波長板ＡＨＷＰを駆動して、情報光を遮断するようにする。かかる状態で、半導体レーザＬＤを発光させると、図２を参照して説明した光路を辿り、平行光束である参照光が記録・再生位置を通過して第２ガルバノミラーＧＭ２に向かうが、第２ガルバノミラーＧＭ２の薄いミラー面ＭＰは参照光に対して平行となるように角度付けされているので、参照光はミラー面ＭＰに殆ど遮られることなく、その背面側の検出器ＰＤに入射してスポットを形成することとなる（図４参照）。
【００３２】
この状態で、検出器ＰＤから出力される信号を解析することで、ズレ検出が可能となる。図６に示すセンサパターンでは、受光部Ａ、Ｃの信号ＳＡ，ＳＣの差分を演算して、以下のように解析する。
（１）ＳＡ−ＳＣ＝０の場合、参照光はセンサの上下方向に対し均一に照射されていると判断できる。
（２）ＳＡ−ＳＣ＞０の場合、参照光は上方向にシフトしていると判断できる。
（３）ＳＡ−ＳＣ＜０の場合、参照光は下方向にシフトしていると判断できる。
このように受光部Ａ、Ｃの信号の差分により上下方向の補正方向が検出でき、同信号が０になるようにすることによって、上下方向の参照光のズレを補正することができる。かかる場合、第１可動ミラーMM1又は第２可動ミラーMM2のミラーを所定方向に角度変位させてズレ調整を行うことができる。
【００３３】
次に受光部Ｂ、Ｄの信号ＳＢ、ＳＤの差分を演算して同様に解析する。
（１）ＳＢ−ＳＤ＝０の場合、参照光はセンサの左右方向に対し均一に照射されていると判断できる。
（２）ＳＢ−ＳＤ＞０の場合、参照光は右方向にシフトしていると判断できる。
（３）ＳＢ−ＳＤ＜０の場合、参照光は左方向にシフトしていると判断できる。
このように受光部Ｂ、Ｄの信号の差分により左右方向の補正方向が検出でき、同信号が０になるようにすることによって、左右方向の参照光のズレを補正することができる。かかる場合、第１可動ミラーMM1又は第２可動ミラーMM2のミラーを所定方向に角度変位させてズレ調整を行うことができる。
【００３４】
ズレ調整後には、第２ガルバノミラーＧＭ２を、図５に示す第２の角度から、図４に示す第１の角度へと回転変位させると、参照光が反射されて記録媒体Ｍに再入射するので、記録媒体Ｍに記録された情報の再生を行うことができる。本実施の形態によれば、ズレ検出の場合、第２ガルバノミラーＧＭ２を、図５に示す第２の角度に回転変位させるのみでよいので、容易にズレ検出を行うことができ、特に記録媒体Ｍを記録・再生位置に配置したまま、例えば情報の記録再生中にもズレ検出を行うことができる。
【００３５】
図８は、変形例にかかる検出器ＰＤ’の受光面を示す概略図である。図８の検出器ＰＤ’の受光面には、Ａ〜Ｄの４カ所の受光部が、受光面の４隅に配置されたセンサパターンが形成されている。
【００３６】
変形例にかかる検出器ＰＤ’から出力される信号を解析する場合、受光部Ａ、Ｃの信号ＳＡ，ＳＣの差分を演算して、以下のように解析する。
（１）ＳＡ−ＳＣ＝０の場合、参照光はセンサの上下方向に対し均一に照射されていると判断できる。
（２）ＳＡ−ＳＣ＞０の場合、参照光は上方向にシフトしていると判断できる。
（３）ＳＡ−ＳＣ＜０の場合、参照光は下方向にシフトしていると判断できる。
このように受光部Ａ、Ｃの信号の差分により上下方向の補正方向が検出でき、同信号が０になるようにすることによって、上下方向の参照光のズレを補正することができる。かかる場合、第１可動ミラーMM1又は第２可動ミラーMM2のミラーを所定方向に角度変位させてズレ調整を行うことができる。
【００３７】
次に受光部Ｂ、Ｄの信号ＳＢ、ＳＤの差分を演算して同様に解析する。
（１）ＳＢ−ＳＤ＝０の場合、参照光はセンサの左右方向に対し均一に照射されていると判断できる。
（２）ＳＢ−ＳＤ＞０の場合、参照光は右方向にシフトしていると判断できる。
（３）ＳＢ−ＳＤ＜０の場合、参照光は左方向にシフトしていると判断できる。
このように受光部Ｂ、Ｄの信号の差分により左右方向の補正方向が検出でき、同信号が０になるようにすることによって、左右方向の参照光のズレを補正することができる。かかる場合、第１可動ミラーMM1又は第２可動ミラーMM2のミラーを所定方向に角度変位させてズレ調整を行うことができる。
【００３８】
尚、信号解析は以上に限られず、受光面が図９に示すように、例えば田の字状に４分割されたＣＣＤのような２次元画像センサを用いることもできる。かかる場合、参照光のスポットＳＰが受光面に形成された際に、４分割された各領域Ａ〜Ｄの受光量に応じた信号をＳＡ〜ＳＤとしたときに、
Ｘ＝（ＳＡ＋ＳＣ）−（ＳＢ＋ＳＤ）
Ｙ＝（ＳＡ＋ＳＢ）−（ＳＣ＋ＳＤ）
を求めると、Ｘ、Ｙの絶対値が大きくなるほど、集光スポットＳＰの位置ズレが生じていることがわかる、そこで、スポットＳＰの中心を受光面の中心に一致させるべく、Ｘ＝０，Ｙ＝０に近づくように、第１可動ミラーMM1又は第２可動ミラーMM2のミラーを角度変位させてズレ調整を行うことができる。
【００３９】
位置検出センサとして２次元ＰＳＤセンサを用いることもできる。２次元ＰＳＤセンサはレーザ光の入射した位置を電気信号に変換するセンサであり、参照光の位置検出を行うことができる。
【００４０】
図１０は、第２の実施の形態にかかる光情報記録再生装置の第２ガルバノミラー周辺を示す拡大図である。本実施の形態においては、上述した実施の形態に対し、第２ガルバノミラーＧＭ２のミラー面と検出器ＰＤとの間に、集光用のレンズＳＮを配置している。これにより、安価な小型の検出器ＰＤ（例えば従来の光ピックアップ装置で一般的に使用されている４分割フォトディテクタ等）を用いた場合でも、精度良くズレ検出を行うことができる。それ以外の構成については、上述した実施の形態と同様である。
【００４１】
図１１は、第３の実施の形態にかかる光情報記録再生装置の第２ガルバノミラー周辺を示す拡大図である。本実施の形態においては、第２ガルバノミラーのＧＭ２は、情報の再生時には一点鎖線で示す第１の角度に回転変位し、ズレ検出時には、第１の角度から約４５度傾いた実線で示す第２の角度に回転変位するようになっている。検出器ＰＤは、第２ガルバノミラーＧＭ２の背面ではなく下方に配置されている。よって、第２ガルバノミラーのＧＭ２が、第２の角度に回転変位すると、参照光は第２ガルバノミラーＧＭ２に反射されて、検出器ＰＤの受光面に受光されるようになっている。特に、記録媒体Ｍの下面側は、光情報記録再生装置においてはデッドスペースとなっていることが多いので、検出器ＰＤを搭載するのに好適である。
【００４２】
図１２は、第３の実施の形態にかかる光情報記録再生装置の第２ガルバノミラー周辺を示す拡大図である。本実施の形態においては、図１１に示す実施の形態に対し、第２ガルバノミラーＧＭ２のミラー面と検出器ＰＤとの間に、集光用のレンズＳＮを配置している。これにより、安価な小型の検出器ＰＤ（例えば従来の光ピックアップ装置で一般的に使用されている４分割フォトディテクタ等）を用いた場合でも、より精度良くズレ検出を行うことができる。それ以外の構成については、上述した実施の形態と同様である。
【図面の簡単な説明】
【００４３】
【図１】本実施の形態にかかる２光束干渉方式の光情報記録再生装置のブロック図である。
【図２】本実施の形態にかかる２光束干渉方式の光情報記録再生装置のブロック図である。
【図３】第２ガルバノミラーＧＭ２の斜視図である。
【図４】再生時における第２ガルバノミラーＧＭ２の周辺を示す拡大図である。
【図５】ズレ検出時における第２ガルバノミラーＧＭ２の周辺を示す拡大図である。
【図６】検出器ＰＤの受光面を示す概略図である。
【図７】第１可動ミラーMM1の斜視図である。
【図８】変形例にかかる検出器ＰＤの受光面を示す概略図である。
【図９】２次元画像センサの受光面を示す概略図である。
【図１０】第２の実施の形態にかかる光情報記録再生装置の第２ガルバノミラー周辺を示す拡大図である。
【図１１】第３の実施の形態にかかる光情報記録再生装置の第２ガルバノミラー周辺を示す拡大図である。
【図１２】第４の実施の形態にかかる光情報記録再生装置の第２ガルバノミラー周辺を示す拡大図である。
【符号の説明】
【００４４】
MCＴ メディアコントローラー
MM 可動ミラー
ＡＨＷＰ アクティブ１／２波長板
ＣＣＤ ２次元画像センサ
ＣＮＭ 凹面ミラー
ＤＢ データバッファ
ＤＥＣ デコーダ
ＥＮＣ エンコーダ
ＦＰ 焦点位置
ＧＣＴ ガルバノミラーコントローラー
ＧＭ ガルバノミラー
ＧＭ１ 第１ガルバノミラー
ＧＭ２ 第２ガルバノミラー
ＩＦ インターフェース
Ｌ１ 第１レンズ
Ｌ２ 第２レンズ
Ｌ３ 第３レンズ
Ｌ４ 第４レンズ
Ｌ５ 第５レンズ
Ｌ６ 第６レンズ
Ｌ７ 第７レンズ
Ｌ８ 第８レンズ
ＬＤ 半導体レーザ
ＭＲＹ メモリー
Ｍ 記録媒体
ＭＭ１ 第１可動ミラー
ＭＭ２ 第２可動ミラー
ＭＤ メディア駆動機構
ＯＢＪ 対物レンズ
ＯＣＴ オプトコントローラー
ＯＩ 光アイソレータ
Ｐ１ 第１ピンホール
Ｐ２ 第２ピンホール
Ｐ３ 第３ピンホール
ＰＢＳ１ 第１偏光ビームスプリッタ
ＰＢＳ２ 第２偏光ビームスプリッタ
ＰＤ 検出器
ＳＨ シャッタ
ＳＬＭ 空間光変調器
ＳＮ  センサレンズ
ＳＰ 集光スポット
【図１】
2010108566.tif 000003
【図２】
2010108566.tif 000004
【図３】
2010108566.tif 000005
【図４】
2010108566.tif 000006
【図５】
2010108566.tif 000007
【図６】
2010108566.tif 000008
【図７】
2010108566.tif 000009
【図８】
2010108566.tif 000010
【図９】
2010108566.tif 000011
【図１０】
2010108566.tif 000012
【図１１】
2010108566.tif 000013
【図１２】
2010108566.tif 000014